(57)【特許請求の範囲】
【請求項１】
一方側から順に、複製用ホログラム感材、ＲＧＢのうち少なくとも１つの光束に対して記録時と異なる再生波長により再生するホログラム原版、前記ホログラム原版の記録波長周辺の波長の光を吸収する背面層、を積層し、前記ホログラム原版及び前記複製用ホログラム感材へＲＧＢそれぞれの光束を照射することで複製ホログラムを作製するホログラム複製装置において、
Ｒ，Ｇ，Ｂそれぞれのレーザーを照射するレーザー照射器と、
前記レーザー照射器の照射した前記Ｒ，Ｇ，Ｂそれぞれの光束が合成された１つの平行光束を、Ｒ，Ｇ，Ｂそれぞれの光束ごとに前記ホログラム原版の記録時の参照光と同じ角度に変更して、前記ホログラム原版及び前記複製用ホログラム感材に向けて出射する光学素子と、
を備えたことを特徴とするホログラム複製装置。
【請求項２】
前記光学素子は、ホログラフィックミラーからなることを特徴とする請求項１に記載されたホログラム複製装置。
【請求項３】
前記ホログラフィックミラーは、一枚からなり、ＲＧＢのうち少なくとも１色の角度を変更することを特徴とする請求項２に記載されたホログラム複製装置。
【請求項４】
前記ホログラフィックミラーは、Ｒの角度を変更するＲ用ホログラフィックミラー、Ｇの角度を変更するＧ用ホログラフィックミラー及びＢの角度を変更するＢ用ホログラフィックミラーを積層したことを特徴とする請求項２に記載されたホログラム複製装置。
【請求項５】
ＲＧＢのうち少なくとも１つの光束に対して記録時と異なる再生波長により再生するホログラム原版を作製するステップと、
一方側から順に、複製用ホログラム感材と、前記ホログラム原版と、記録波長周辺の波長の光を吸収する背面層とを積層するステップと、
ＲＧＢそれぞれの光束が合成された１つの平行光束を照射するステップと、
光学素子により前記１つの平行光束を前記ホログラム原版の記録時の参照光と同じ角度のＲＧＢの光束にそれぞれ変更するステップと、
前記光学素子を出射した光束が前記ホログラム原版及び前記複製用ホログラム感材に入射し、ホログラムを複製するステップと、
を有することを特徴とするホログラム複製方法。
【請求項６】
請求項５に記載のホログラム複製方法により複製されたホログラム。
【発明の詳細な説明】
【技術分野】
【０００１】
本発明は、ホログラム複製装置、ホログラム複製方法及びそれにより複製されたホログラムに関し、特に、記録波長と異なる波長で再生するためのホログラム複製装置、ホログラム複製方法及びそれにより複製されたホログラムに関するものである。
【背景技術】
【０００２】
近年、光源として、レーザー及びＬＥＤを用いた映像表示装置や光学素子が開発されている。ホログラムは、特定波長の光を特定方向へ回折する機能を有するため、上記レーザー及びＬＥＤの狭帯域波長光源に対して光利用効率が高く、また、装置の小型化やレンズ機能ディフューザー機能の付与等を可能にする。上記レーザー及びＬＥＤは、それぞれ仕様毎に異なる中心波長を持つため、ホログラムを記録波長と異なる波長で再生する方法が有効である。
【０００３】
ホログラムを記録波長と異なる波長で再生する点については特許文献１に開示されている。また、ホログラムを量産する方法として、特許文献２が知られている。
【先行技術文献】
【特許文献】
【０００４】
【特許文献１】特開昭６０−３５７０１号公報
【特許文献２】特許第２８４９０２１号公報
【非特許文献】
【０００５】
【非特許文献１】M. Watanabe, D. Kodama, T. Matsuyama, and T. Hotta, "Mass-produced color graphic arts holograms", Proc. SPIE 3637, pp. 204-212, 1999
【発明の概要】
【発明が解決しようとする課題】
【０００６】
特許文献１に記載された技術では、次のような問題点がある。まず、フルカラー反射型ホログラムの記録に対応しておらず、フルカラー化が困難である。また、全面ＲＧＢに対応しておらず、量産化が困難である。さらに、強度が同一のレーザー光で記録するためＲＧＢのバランスがとれない。
【０００７】
次に、ホログラムの量産化のための複製方法について説明する。図１５は記録時と再生時で同一波長の場合の第２ホログラム記録用感光材料２への複製を行う工程を説明するための図、図１６は図１５で複製された第２ホログラム２’を再生する工程を説明するための図である。である。
【０００８】
まず、ホログラム原版としての第１ホログラム１’の第１面１’ａ側に第２ホログラム記録用感光材料２の第１面２ａを積層させ、第１ホログラム１’の第２面１’ｂ側に少なくとも記録波長周辺の波長の光を吸収する背面層３を積層させる。
【０００９】
次に、第１再生照明光２１を第１ホログラム１’に入射すると、第１再生光２２が回折され、第２ホログラム記録用感光材料２に対して第１面２ａから第１再生光２２が第２物体光３１として入射し、第１再生照明光２１が第２面２ｂから第２参照光３２として入射し、干渉する。その後、第２ホログラム記録用感光材料２を後処理して第２ホログラム２’を作製する。
【００１０】
再生時は、図１６に示すように、第２ホログラム２’に、図１５に示した記録時の第２参照光３２と同じ方向に進行する第２再生照明光４１を第２面２’ｂから入射させることで、図１５に示した記録時の第２物体光３１と同じ方向に進行する第２再生光４２が回折される。また、第２ホログラム２’に、記録時の第２参照光３２と逆方向に進行する第２再生照明光４１を第１面２’ａから入射させることで、記録時の第２物体光３１と逆方向に進行する第２再生光４２を回折させてもよい。
【００１１】
そして、このような複製方法を用いてＲＧＢの再生波長を持つフルカラーホログラムを量産する場合、非特許文献１に示されているように、ホログラム原版の参照光入射角は、ＲＧＢ各色において同一であり、このようにすることで、図１７に示すように、複製用の光学系をややコンパクトにすることはできる。しかしながら、複製記録時の参照光のＲＧＢがすべて同じ角度でホログラムに入射することになり、再生時のレーザーの波長と入射角が決まってしまい、別の波長のレーザーを使用する場合、ＲＧＢのレーザー波長がずれる分だけ回折効率が少なくなる。したがって、ホログラム素子として使用しづらいものとなる。
【００１２】
これを解消するためには、複製時の参照光の入射角をＲＧＢで異なるものとすれば可能であるが、図１８に示すように、複製用の光学系として、スペーシャルフィルタ等の拡大部材１０４、コリメートレンズ等の平行光変換部材１０５、及び光学素子としてのホログラフィックミラー１０６をＲＧＢそれぞれ別々に構築する必要があり、複製用の光学系の大型化を招いてしまう。
【００１３】
本発明は、従来技術のこのような問題点に鑑みてなされたものであり、その目的は、記録波長と異なる波長で再生するホログラムの複製のための光学系を簡単な構造でコンパクトに形成するホログラム複製装置、また、簡単な方法で記録波長と異なる波長で再生するホログラムを複製するホログラム複製方法及びそれにより複製されたホログラムを提供することである。
【課題を解決するための手段】
【００１４】
上記目的を達成する本発明のホログラム複製装置は、
一方側から順に、複製用ホログラム感材、ＲＧＢのうち少なくとも１つの光束に対して記録時と異なる再生波長により再生するホログラム原版、前記ホログラム原版の記録波長周辺の波長の光を吸収する背面層、を積層し、前記ホログラム原版及び前記複製用ホログラム感材へＲＧＢそれぞれの光束を照射することで複製ホログラムを作製するホログラム複製装置において、
Ｒ，Ｇ，Ｂそれぞれのレーザーを照射するレーザー照射器と、
前記レーザー照射器の照射した前記Ｒ，Ｇ，Ｂそれぞれの光束が合成された１つの平行光束を、Ｒ，Ｇ，Ｂそれぞれの光束ごとに前記ホログラム原版の記録時の参照光と同じ角度に変更して、前記ホログラム原版及び前記複製用ホログラム感材に向けて出射する光学素子と、
を備えたことを特徴とする。
【００１５】
また、前記光学素子は、ホログラフィックミラーからなることを特徴とする。
【００１６】
また、前記ホログラフィックミラーは、一枚からなり、ＲＧＢのうち少なくとも１色の角度を変更することを特徴とする。
【００１７】
また、前記ホログラフィックミラーは、Ｒの角度を変更するＲ用ホログラフィックミラー、Ｇの角度を変更するＧ用ホログラフィックミラー及びＢの角度を変更するＢ用ホログラフィックミラーを積層したことを特徴とする。
【００１８】
さらに、上記目的を達成する本発明のホログラム複製方法は、
ＲＧＢのうち少なくとも１つの光束に対して記録時と異なる再生波長により再生するホログラム原版を作製するステップと、
一方側から順に、複製用ホログラム感材と、前記ホログラム原版と、記録波長周辺の波長の光を吸収する背面層とを積層するステップと、
ＲＧＢそれぞれの光束が合成された１つの平行光束を照射するステップと、
光学素子により前記１つの平行光束を前記ホログラム原版の記録時の参照光と同じ角度のＲＧＢの光束にそれぞれ変更するステップと、
前記光学素子を出射した光束が前記ホログラム原版及び前記複製用ホログラム感材に入射し、ホログラムを複製するステップと、
を有することを特徴とする。
【００１９】
さらに、上記目的を達成する本発明のホログラムは、前記ホログラム複製方法により作製されることを特徴とする。
【発明の効果】
【００２０】
本発明によれば、記録波長と異なる波長で再生するホログラムの複製のための光学系を簡単な構造でコンパクトに形成するホログラム複製装置、また、簡単な方法で記録波長と異なる波長で再生するホログラムを複製するホログラム複製方法及びそれにより複製されたホログラムを提供することができる。
【図面の簡単な説明】
【００２１】
【図１】反射型ホログラムを作製するための工程を示す図である。
【図２】記録時の第１ホログラム記録用感光材料中の干渉縞の状態を説明する図である。
【図３】干渉部分の拡大図である。
【図４】第１ホログラム１’を再生する工程を説明するための図である。
【図５】再生時の第１ホログラム１’中の干渉縞の状態を説明する図である。
【図６】第１ホログラム１’中の干渉部分の拡大図である。
【図７】Ｒ及びＢの波長を記録時と再生時とで変更する場合のホログラム再生時の工程を説明するための図である。
【図８】Ｒ及びＢの波長を記録時と再生時とで変更する場合のホログラム記録時の工程を説明するための図である。
【図９】第１実施形態のホログラム複製装置を示す図である。
【図１０】ホログラフィックミラーの例を示す図である。
【図１１】ホログラフィックミラーの例を示す図である。
【図１２】第２実施形態のホログラム複製装置を示す図である。
【図１３】ダイクロイックミラーの拡大図である。
【図１４】第３実施形態の光学素子を示す図である。
【図１５】従来のホログラムの複製を示す図である。
【図１６】従来の複製したホログラムの再生を示す図である。
【図１７】従来のホログラム複製装置を示す図である。
【図１８】従来のホログラム複製装置を示す図である。
【発明を実施するための形態】
【００２２】
以下、図面を参照にして本発明に係るホログラム複製方法及びそれにより作製されたホログラムについて説明する。
【００２３】
まず、ホログラム原版を作製する方法を説明する。図１は第１ホログラムを作製するための工程を示す図、図２は記録時の第１ホログラム記録用感光材料１中の干渉縞の状態を説明する図、図３は干渉部分の拡大図である。
【００２４】
本実施形態では、図１に示すように、第１ホログラム記録用感光材料１に所定の第１波長λを有し平行光又は略平行光からなる第１物体光１１を一方側の第１面１ａから入射させ、それと同時に、第１ホログラム記録用感光材料１に、第１物体光１１の入射側と反対側の第２面１ｂから、平行光又は略平行光からなる第１物体光１１と同じ第１波長λの第１参照光１２を、所定の第１入射角度で入射させる。
【００２５】
第１物体光１１と第１参照光１２を第１ホログラム記録用感光材料１に入射させることで、第１ホログラム記録用感光材料１内では、図２に示すように、第１物体光１１と第１参照光１２とが干渉する。
【００２６】
第１物体光１１と第１参照光１２とが干渉すると、図３に示すように、第１物体光１１と第１参照光１２とが第１ホログラム記録用感光材料１中でなす角の二等分線の方向に干渉縞（点線）が生成する。干渉縞は、第１物体光１１と第１参照光１２それぞれに対して等しい角度θをなす。この時点で、干渉縞間隔をｄ、記録波長をλとすると、それぞれのパラメータは、２ｄsinθ＝λの関係を満たす。
【００２７】
その後、第１ホログラム記録用感光材料１を後処理してホログラム原版としての第１ホログラム１’を作製する。
【００２８】
図４は、第１ホログラム１’を再生する工程を説明するための図、図５は再生時の第１ホログラム１’中の干渉縞の状態を説明する図、図６は第１ホログラム１’中の干渉部分の拡大図である。
【００２９】
再生時は、図４に示すように、第１ホログラム１’に、図１に示した記録時の第１参照光１２と同じ方向に進行する第１再生照明光２１を第２面１’ｂから入射させることで、図１に示した記録時の第１物体光１１と同じ方向に進行する第１再生光２２が回折される。また、第１ホログラム１’に、記録時の第１参照光１２と逆方向に進行する第１再生照明光２１を第１面１’ａから入射させることで、記録時の第１物体光１１と逆方向に進行する第１再生光２２を回折させてもよい。
【００３０】
本実施形態では、記録時と異なる波長を有する第１再生照明光２１を第１ホログラム１’に入射させることで、第１再生光２２を回折するものである。
【００３１】
第１再生照明光２１を第１ホログラム１’に入射させることで、図５に示すように、第１再生光２２が第１物体光１１と同じ向きに回折されるには、図６に示すように、第１ホログラム１’中の干渉縞（点線）に対して、第１再生照明光２１と第１再生光２２はそれぞれ等しい角度θ’をなし、ブラッグの反射条件を満たす必要がある。この時、干渉縞間隔をｄ、再生照明光２１の波長をλ’とすると、２ｄsinθ’＝λ’の関係を満たす必要がある。なお、同時に２ｄsinθ＝λの関係を満たす必要がある。
【００３２】
ここで、λ’＝λの場合、θ’＝θとなり、第１ホログラム１’の記録時の第１参照光１２と同じ方向に進行する記録時と同じ波長λを有する再生照明光２１を入射させる場合となる。
【００３３】
λ’＜λの場合、２ｄsinθ’＝λ’及び２ｄsinθ＝λの関係を同時に満たすためには、第１再生照明光２１の干渉縞への入射角θ’を記録時の角度θよりも小さくθ’＜θと設定する必要がある。すなわち、２ｄsinθ’＝λ’及び２ｄsinθ＝λの関係を同時に満たすように、記録時に波長λの第１参照光１２を角度θで入射し、再生時に第１参照光１２の波長λより小さい波長λ’の第１再生照明光２１を第１参照光１２の角度θより小さい干渉縞への入射角θ’で入射することで回折することが可能となる。
【００３４】
また、λ’＞λの場合、２ｄsinθ’＝λ’及び２ｄsinθ＝λの関係を同時に満たすためには、第１再生照明光２１の干渉縞への入射角θ’を記録時の角度θよりも大きくθ’＞θと設定する必要がある。すなわち、２ｄsinθ’＝λ’及び２ｄsinθ＝λの関係を同時に満たすように、記録時に波長λの第１参照光１２を角度θで入射し、再生時に第１参照光１２の波長λより大きい波長λ’の第１再生照明光２１を第１参照光１２の角度θより大きい干渉縞への入射角θ’で入射することで回折することが可能となる。
【００３５】
このように、２ｄsinθ’＝λ’及び２ｄsinθ＝λの関係を満たすように、第１参照光１２の波長λ及び角度θ、並びに、第１再生照明光２１の波長λ’及び角度θ’を設定することにより、第１参照光１２の波長λと第１再生照明光２１の波長λ’を異ならせることができ、例えば、記録波長をＡｒガスレーザー（波長４７６．５ｎｍ）を用い、再生波長として半導体レーザー（波長４４０ｎｍ）を用いるといったことも可能となる。
【００３６】
次に、フルカラーのホログラムの記録時と再生時のＲＧＢそれぞれの光の波長と角度を設定する一例について説明する。例えば、記録レーザーとしてＲ用のＫｒレーザー（波長６４７．１ｎｍ）、Ｇ用のＤＰＳＳレーザー（波長５３２ｎｍ）、Ｂ用のＡｒレーザー（波長４７６．５ｎｍ）を用い、再生レーザーとしてＲ用の半導体レーザー（波長６４０ｎｍ）、Ｇ用のＤＰＳＳレーザー（波長５３２ｎｍ）、Ｂ用の半導体レーザー（波長４４０ｎｍ）を用いる。
【００３７】
図７はＲ及びＢの波長を記録時と再生時とで変更する場合のホログラム再生時の工程を説明するための図、図８はＲ及びＢの波長を記録時と再生時とで変更する場合のホログラム記録時の工程を説明するための図である。
【００３８】
本実施形態では、Ｒ及びＢの波長を記録時と再生時とで変更し、図７に示すように、記録波長λと異なる再生波長λ’でＲＧＢそれぞれの再生時の角度を同一角度とする場合について説明する。なお、ここでは、Ｒについて説明するが、Ｂについても同様である。
【００３９】
この時、図６で示したように、第１ホログラム１’中で生成される干渉縞とＲの再生照明光２１Ｒ及びＲの再生光２２Ｒそれぞれとの角度をθ’、干渉縞間隔をｄ、再生照明光２１Ｒ及びＲの再生光２２Ｒの再生波長をλＲ’とすると、それぞれのパラメータは、２ｄsinθ’＝λＲ’の関係を満たし、ブラッグの反射条件を満たす。
【００４０】
記録波長λと異なる再生波長λ’でＲＧＢそれぞれの再生時の角度を図７に示すように同一角度とするためには、記録時にＲＧＢそれぞれが第１ホログラム記録用感光材料１に入射する角度を変更する。
【００４１】
そして、記録時には、図８に示すように、Ｒの波長を記録波長λＲとして記録するので、Ｒの入射角を計算により補正して、物体光１１Ｒと参照光１２Ｒとを第１ホログラム記録用感光材料１に入射させる。
【００４２】
この時、図３で示したように、例えば、第１ホログラム記録用感光材料１中で生成される干渉縞とＲの物体光１１Ｒ及びＲの参照光１２Ｒとの角度をθ、干渉縞間隔をｄ、物体光１１Ｒと参照光１２Ｒの記録波長をλＲとすると、それぞれのパラメータは、２ｄsinθ＝λＲの関係を満たし、ブラッグの反射条件を満たす。
【００４３】
ここで、Ｒに関しては、設計時と記録時とで干渉縞ｄは変化していないので、λＲ／sinθ＝λＲ’／sinθ’となり、θを求めることができる。
【００４４】
そして、記録時には、図８に示すように、第１ホログラム記録用感光材料１中で生成される干渉縞とＲの物体光１１Ｒ及びＲの参照光１２Ｒとの角度がθになるように第１ホログラム記録用感光材料１に物体光１１Ｒ及び参照光１２Ｒを入射する。
【００４５】
図８のように記録した第１ホログラム１’に、図７に示すように、異なる波長の再生照明光２１Ｒ，２１Ｇ，２１Ｂを参照光１２Ｒ，１２Ｇ，１２Ｂと同じ第２面１’ｂから同一角度で入射させると、第２面１’ｂから再生光２２Ｒ，２２Ｇ，２２Ｂが同一角度で回折される。
【００４６】
次に、記録時と再生時とで波長が異なる場合のフルカラーのホログラムを複製するホログラム複製装置を説明する。
【００４７】
図９は、第１実施形態のホログラム複製装置を示す図である。
【００４８】
ＲＧＢそれぞれのレーザー照射器１０１Ｒ，１０１Ｇ，１０１Ｂから照射された光は、それぞれダイクロイックミラー等からなる第１反射面１０２Ｒ，１０２Ｇ，１０２Ｂで反射し第２反射面１０３で１つの光路に合成され、スペーシャルフィルタ等の光束拡大部材１０４により拡大された後、コリメートレンズ等の平行光変換部材１０５により平行光とされ、光学素子としてのホログラフィックミラー１０６に入射する。
【００４９】
ホログラフィックミラー１０６では、ＲＧＢそれぞれの光束を所定の角度で反射し、第２ホログラム感材２及び第１ホログラム１’に入射させる。第２ホログラム感材２及び第１ホログラム１’に入射するＲＧＢそれぞれの入射角は、第１ホログラム１’の第１再生照明光２１と同じである。
【００５０】
ＲＧＢそれぞれの光束は、図１５で示したように、第１再生照明光２１として第１ホログラム１’に入射し、第１再生光２２が回折され、複製用ホログラム感材としての第２ホログラム記録用感光材料２に対して第１面２ａから第１再生光２２が第２物体光３１として入射し、第１再生照明光２１が第２面２ｂから第２参照光３２として入射し、干渉する。その後、第２ホログラム記録用感光材料２を後処理して複製ホログラムとしての第２ホログラム２’を作製することができる。
【００５１】
再生時は、図１６に示すように、第２ホログラム２’に、図１５で示したように記録時の第２参照光３２と同じ方向に進行するＲＧＢそれぞれの第２再生照明光４１を第２面２’ｂから入射させることで、図１５に示したように記録時の第２物体光３１と同じ向きに進行するＲＧＢそれぞれの第２再生光４２が回折される。したがって、記録時の波長と再生波長とが異なるフルカラーの複製ホログラムを作製することができる。
【００５２】
図１０及び図１１は、ホログラフィックミラー１０６の例を示す図である。
【００５３】
図１０に示すホログラフィックミラー１０６は、ＲＧＢが同じ光路で入射する光を一枚で異なる光路に反射するものであり、図１１に示すホログラフィックミラー１０６は、ＲＧＢが同じ光路で入射する光をＲ用ホログラフィックミラー１０６Ｒ、Ｇ用ホログラフィックミラー１０６Ｇ及びＢ用ホログラフィックミラー１０６Ｂの三枚でそれぞれ異なる三光路に反射するものである。
【００５４】
図１２は第２実施形態のホログラム複製装置を示す図、図１３はダイクロイックミラー１０７の拡大図である。第２実施形態のホログラム複製装置は、第１実施形態のホログラム複製装置のホログラフィックミラー１０６に代えて光学素子としてダイクロイックミラー１０７を適用したものである。
【００５５】
図１３に示すように、ダイクロイックミラー１０７は、ＲＧＢが同じ光路で入射する光をＲ用ダイクロイックミラー１０７Ｒ、Ｇ用ダイクロイックミラー１０７Ｇ及びＢ用ダイクロイックミラー１０７Ｂの三枚でそれぞれ異なる三光路に反射するものである。
【００５６】
なお、ホログラム複製装置は、第３実施形態として、図１４に示すような光学素子を用いてもよい。第３実施形態のホログラム複製装置に用いる光学素子は、第１実施形態のホログラム複製装置のホログラフィックミラー１０６と第２実施形態のホログラム複製装置のダイクロイックミラー１０７の両者をあわせて適用したものである。
【００５７】
図１４に示すように、光学素子１０６，１０７は、ＲＧＢが同じ光路で入射する光をＲＧ用ホログラフィックミラー１０６ＲＧ及びＢ用ダイクロイックミラー１０７Ｂの二枚でそれぞれ異なる三光路に反射するものである。
【００５８】
このように、本実施形態によれば、一方側から順に、第２ホログラム記録用感光材料２、ＲＧＢのうち少なくとも１つの光束に対して記録時と異なる再生波長により再生する第１ホログラム１’、第１ホログラム１’の記録波長周辺の波長の光を吸収する背面層３、を積層し、第１ホログラム１’へ再生照明光を照射することで第２ホログラム２’を作製するホログラム複製装置において、Ｒ，Ｇ，Ｂそれぞれのレーザーを照射するレーザー照射器１０１と、レーザー照射器１０１の照射した光をＲ，Ｇ，Ｂそれぞれの光束ごとに第１ホログラム１’の記録時の参照光と同じ角度に変更して、第１ホログラム１’及び第２ホログラム記録用感光材料２に向けて出射する光学素子１０６と、を備えたので、記録波長と異なる波長で再生するホログラムの複製のための光学系を簡単な構造でコンパクトに形成することができる。なお、第２ホログラム記録用感光材料２と第１ホログラム１’の間、又は、第１ホログラム１’と背面層３の間は、インデックスマッチング液等を介して積層してもよい。
【００５９】
また、光学素子１０６は、ホログラフィックミラー１０６からなるので、さらにコンパクトに形成することができる。
【００６０】
また、ホログラフィックミラー１０６は、一枚からなり、ＲＧＢのうち少なくとも１色の角度を変更するので、さらにコンパクトに形成することができる。
【００６１】
また、ホログラフィックミラー１０６は、Ｒの角度を変更するＲ用ホログラフィックミラー１０６Ｒ、Ｇの角度を変更するＧ用ホログラフィックミラー１０６Ｇ及びＢの角度を変更するＢ用ホログラフィックミラー１０６Ｂを積層したので、さらに簡単な構造で形成することができる。
【００６２】
さらに、上記目的を達成する本実施形態のホログラム複製方法は、ＲＧＢのうち少なくとも１つの光束に対して記録時と異なる再生波長により再生する第１ホログラム１’を作製するステップと、一方側から順に、第２ホログラム記録用感光材料２と、第１ホログラム１’と、記録波長周辺の波長の光を吸収する背面層３とを積層するステップと、ＲＧＢの光束を照射するステップと、ＲＧＢの光束を光学素子１０６によりそれぞれ第１ホログラム１’の記録時の参照光と同じ角度に変更するステップと、光学素子１０６を出射した光束が第１ホログラム１’及び第２ホログラム記録用感光材料２に入射し、ホログラムを複製するステップと、を有するので、簡単な方法で記録波長と異なる波長で再生するホログラムを複製することができる。
【００６３】
さらに、上記目的を達成する本実施形態のホログラムは、前記ホログラム複製方法により作製されるので、簡単な方法で複製することができる。
【符号の説明】
【００６４】
１…第１ホログラム記録用感光材料
１’…第１ホログラム（ホログラム原版）
２…第２ホログラム記録用感光材料（複製用ホログラム感材）
２’…第２ホログラム（複製ホログラム）
３…背面層
１１…第１物体光
１２…第１参照光
２１…第１再生照明光
２２…第１再生光
３１…第２物体光
３２…第２参照光
４１…第２再生照明光
４２…第２再生光
１０１…レーザー照射器
１０２…第１反射面
１０３…第２反射面
１０４…光束拡大部材
１０５…平行光変換部材
１０６…ホログラフィックミラー（光学素子）
１０７…ダイクロイックミラー（光学素子）
【図１】
0005541439.tif 000002
【図２】
0005541439.tif 000003
【図３】
0005541439.tif 000004
【図４】
0005541439.tif 000005
【図５】
0005541439.tif 000006
【図６】
0005541439.tif 000007
【図７】
0005541439.tif 000008
【図８】
0005541439.tif 000009
【図９】
0005541439.tif 000010
【図１０】
0005541439.tif 000011
【図１１】
0005541439.tif 000012
【図１２】
0005541439.tif 000013
【図１３】
0005541439.tif 000014
【図１４】
0005541439.tif 000015
【図１５】
0005541439.tif 000016
【図１６】
0005541439.tif 000017
【図１７】
0005541439.tif 000018
【図１８】
0005541439.tif 000019